(57)【要約】  バックホールリンクが、基地局と、リレーと移動デバイスとの間で確立されるアクセスリンク上で移動デバイスと通信している基地局を支援するリレーとの間で確立される。バックホールリンクのチャネル応答は、バックホールリンクのチャネル応答の第１部分と、第１部分よりも速く変化する第２部分とを推定することによって求められる。バックホールリンクのチャネル応答の第１部分は、リレーにおいて、所定のピリオドにわたってバックホールリンクのチャネル応答の平均を計算することにより推定され、第２部分は、リレーにおいて、バックホールリンクのチャネル応答における変動を計算することにより推定される。バックホールリンクのチャネル応答の第１部分及び第２部分の量子化バージョンが、バックホールリンク上で、リレーから基地局へ送信される。【選択図】図１
2013523044.tif 000002
【特許請求の範囲】
【請求項１】
基地局と前記基地局を支援するリレーとの間で確立されるバックホールリンクのチャネル応答推定をフィードバックする方法であって、前記リレーは、前記リレーと移動デバイスとの間で確立されるアクセスリンク上で前記移動デバイスと通信しており、前記方法は、
前記リレーにおいて、所定のピリオドにわたって前記バックホールリンクのチャネル応答の平均を計算することにより、前記バックホールリンクのチャネル応答の第１部分を推定することと、
前記リレーにおいて、前記所定のピリオドにわたって前記バックホールリンクのチャネル応答における変動を計算することにより、前記第１部分よりも速く変化する前記バックホールリンクのチャネル応答の第２部分を推定することと、
前記バックホールリンクのチャネル応答の前記第１部分の量子化バージョン及び前記バックホールリンクのチャネル応答の前記第２部分の量子化バージョンを、前記リレーから前記基地局へ、前記バックホールリンク上で送信することと、
を含む方法。
【請求項２】
前記所定のピリオドは、所定の時間ピリオドである、請求項１の方法。
【請求項３】
前記バックホールリンクのチャネル応答のコヒーレント時間を推定することと、
前記コヒーレント時間の関数として、前記所定の時間ピリオドを複数の時間サブピリオドに分割することと、
前記複数の時間サブピリオドの各々について、前記バックホールリンクのチャネル応答における前記平均及び前記変動を計算することと、
を含む、請求項２の方法。
【請求項４】
前記所定のピリオドは、所定の周波数帯域である、請求項１の方法。
【請求項５】
前記バックホールリンクのチャネル応答のコヒーレント帯域幅を推定することと、
前記コヒーレント帯域幅の関数として、前記所定の周波数帯域を複数の周波数サブバンドに分割することと、
前記複数の周波数サブバンドの各々について、前記バックホールリンクのチャネル応答における前記平均及び前記変動を計算することと、
を含む、請求項４の方法。
【請求項６】
前記所定のピリオドは、所定の時間ピリオド及び周波数帯域である、請求項１の方法。
【請求項７】
前記バックホールリンクのチャネル応答のコヒーレント時間及び帯域幅を推定することと、
前記コヒーレント時間及び帯域幅の関数として、前記バックホールリンクのチャネル応答を複数のブロックにフラグメント化することと、
前記バックホールリンクのチャネル応答の各ブロックについて、前記バックホールリンクのチャネル応答における前記平均及び前記変動を計算することと、
を含む、請求項６の方法。
【請求項８】
前記バックホールリンクのチャネル応答の瞬間的な推定から前記バックホールリンクのチャネル応答の前記平均を除去して、前記バックホールリンクのチャネル応答における前記変動を計算すること、を含む、請求項１の方法。
【請求項９】
前記バックホールリンクのチャネル応答の前記第１部分の前記量子化バージョンを生成するために、前記平均の大きさの関数として、前記バックホールリンクのチャネル応答の前記平均を量子化することと、
前記バックホールリンクのチャネル応答の前記第２部分の前記量子化バージョンを生成するために、前記変動の大きさの関数として、前記バックホールリンクのチャネル応答における前記変動を量子化することと、
を含む、請求項１の方法。
【請求項１０】
前記平均の大きさが前記変動の大きさよりも相対的に小さい場合に、前記バックホールリンクのチャネル応答の前記平均を量子化するためのビットよりも多くのビットを、前記バックホールリンクのチャネル応答における前記変動を量子化するために割り振ることと、
前記平均の大きさが前記変動の大きさよりも相対的に大きい場合に、前記バックホールリンクのチャネル応答における前記変動を量子化するためのビットよりも多くのビットを、前記バックホールリンクのチャネル応答の前記平均を量子化するために割り振ることと、
を含む、請求項９の方法。
【請求項１１】
前記所定のピリオドにわたって計算される前記バックホールリンクのチャネル応答の平均値及び分散に基づいて、前記バックホールリンクのチャネル応答における前記平均及び前記変動を量子化するための前記ビットを割り振ること、を含む、請求項１０の方法。
【請求項１２】
前記バックホールリンクのチャネル応答の前記第１部分の前記量子化バージョンよりも、高い頻度かつ少ない帯域幅で、前記バックホールリンクのチャネル応答の前記第２部分の前記量子化バージョンを前記リレーから前記基地局へ送信すること、を含む、請求項１の方法。
【請求項１３】
前記バックホールリンクのチャネル応答の前記第１部分は、前記所定のピリオドにわたって計算される前記バックホールリンクのチャネル応答の平均値及び分散を含む、請求項１の方法。
【請求項１４】
前記バックホールリンクのチャネル応答の瞬間的な推定から前記平均値を減算して、前記バックホールリンクのチャネル応答の前記第２部分を推定することと、
量子化の前に、前記分散に基づいて、前記バックホールリンクのチャネル応答の前記第２部分をスケーリングすることと、
を含む、請求項１３の方法。
【請求項１５】
リレーと基地局との間のバックホールリンク上で、前記リレーを前記基地局に接続するように動作する第１のインターフェースと、
前記リレーと移動デバイスとの間のアクセスリンク上で、前記基地局と通信している前記移動デバイスを前記リレーに接続するように動作する第２のインターフェースと、
前記リレーにおいて、所定のピリオドにわたって前記バックホールリンクのチャネル応答の平均を計算することにより、前記バックホールリンクのチャネル応答の第１部分を推定し、
前記リレーにおいて、前記所定のピリオドにわたって前記バックホールリンクのチャネル応答における変動を計算することにより、前記第１部分よりも速く変化する前記バックホールリンクのチャネル応答の第２部分を推定し、
前記バックホールリンク上での前記基地局への送信のために、前記バックホールリンクのチャネル応答の前記第１部分及び前記第２部分を量子化する
ように動作するチャネル応答プロセッサと、
を含む、リレー。
【請求項１６】
前記所定のピリオドは、所定の時間ピリオドである、請求項１５のリレー。
【請求項１７】
前記チャネル応答プロセッサは、前記バックホールリンクのチャネル応答のコヒーレント時間を推定し、前記コヒーレント時間の関数として、前記所定の時間ピリオドを複数の時間サブピリオドに分割し、前記複数の時間サブピリオドの各々について、前記バックホールリンクのチャネル応答における前記平均及び前記変動を計算するように動作する、請求項１６のリレー。
【請求項１８】
各時間サブピリオドの長さが、適応的であり、前記コヒーレント時間に基づく、請求項１７のリレー。
【請求項１９】
前記所定のピリオドは、所定の周波数帯域である、請求項１５のリレー。
【請求項２０】
前記チャネル応答プロセッサは、前記バックホールリンクのチャネル応答のコヒーレント帯域幅を推定し、前記コヒーレント帯域幅の関数として、前記所定の周波数帯域を複数の周波数サブバンドに分割し、前記複数の周波数サブバンドの各々について、前記バックホールリンクのチャネル応答における前記平均及び前記変動を計算するように動作する、請求項１９のリレー。
【請求項２１】
周波数サブバンドの数は、適応的であり、前記コヒーレント帯域幅に基づく、請求項２０のリレー。
【請求項２２】
前記所定のピリオドは、所定の時間ピリオド及び周波数帯域である、請求項１５のリレー。
【請求項２３】
前記チャネル応答プロセッサは、前記バックホールリンクのチャネル応答のコヒーレント時間及び帯域幅を推定し、前記コヒーレント時間及び帯域幅の関数として、前記バックホールリンクのチャネル応答を複数のブロックにフラグメント化し、前記バックホールリンクのチャネル応答の各ブロックについて、前記バックホールリンクのチャネル応答における前記平均及び前記変動を計算するように動作する、請求項２２のリレー。
【請求項２４】
前記チャネル応答プロセッサは、前記バックホールリンクのチャネル応答の瞬間的な推定から前記バックホールリンクのチャネル応答の前記平均を除去して、前記バックホールリンクのチャネル応答における前記変動を計算するように動作する、請求項１５のリレー。
【請求項２５】
前記チャネル応答プロセッサは、前記バックホールリンクのチャネル応答の前記第１部分の量子化バージョンを生成するために、前記平均の大きさの関数として、前記バックホールリンクのチャネル応答の前記平均を量子化し、前記バックホールリンクのチャネル応答の前記第２部分の量子化バージョンを生成するために、前記変動の大きさの関数として、前記バックホールリンクのチャネル応答における前記変動を量子化するように動作する、請求項１５のリレー。
【請求項２６】
前記チャネル応答プロセッサは、前記平均の大きさが前記変動の大きさよりも相対的に小さい場合に、前記バックホールリンクのチャネル応答の前記平均を量子化するためのビットよりも多くのビットを、前記バックホールリンクのチャネル応答における前記変動を量子化するために割り振り、前記平均の大きさが前記変動の大きさよりも相対的に大きい場合に、前記バックホールリンクのチャネル応答における前記変動を量子化するためのビットよりも多くのビットを、前記バックホールリンクのチャネル応答の前記平均を量子化するために割り振るように動作する、請求項２５のリレー。
【請求項２７】
前記チャネル応答プロセッサは、前記所定のピリオドにわたって計算される前記バックホールリンクのチャネル応答の平均値及び分散に基づいて、前記バックホールリンクのチャネル応答における前記平均及び前記変動を量子化するための前記ビットを割り振るように動作する、請求項２６のリレー。
【請求項２８】
前記チャネル応答プロセッサは、前記バックホールリンクのチャネル応答の前記第１部分の量子化バージョンよりも、高い頻度かつ少ない帯域幅で、前記バックホールリンクのチャネル応答の前記第２部分の量子化バージョンを生成するように動作する、請求項１５のリレー。
【請求項２９】
前記バックホールリンクのチャネル応答の前記第１部分は、前記所定のピリオドにわたって計算される前記バックホールリンクのチャネル応答の平均値及び分散を含み、前記チャネル応答プロセッサは、前記バックホールリンクのチャネル応答の前記第１部分から前記平均値を減算して、前記バックホールリンクのチャネル応答の前記第２部分を推定し、量子化の前に、前記分散に基づいて、前記バックホールリンクのチャネル応答の前記第２部分をスケーリングするように動作する、請求項１５のリレー。
【請求項３０】
リレーと基地局との間で確立されるバックホールリンク上で前記基地局を前記リレーに接続するように動作するインターフェースと、
前記バックホールリンクのために前記リレーにおいて求められる、所定のピリオドにわたって計算されるバックホールリンクのチャネル応答の平均に対応する前記バックホールリンクのチャネル応答の第１の量子化部分、及び前記所定のピリオドにわたって計算される前記バックホールリンクのチャネル応答における変動に対応する、前記第１部分よりも速く変化する前記バックホールリンクのチャネル応答の第２の量子化部分、を受信し、
前記バックホールリンクのチャネル応答の前記第１の量子化部分に基づいて前記バックホールリンクのチャネル応答の第１部分を、前記バックホールリンクのチャネル応答の前記第２の量子化部分に基づいて前記バックホールリンクのチャネル応答の第２部分を再構築し、
前記バックホールリンクのチャネル応答の再構築された前記第１部分及び前記第２部分を結合して、前記バックホールリンクについての合成状態情報を生成し、
バックホールリンクの前記合成状態情報に基づいて、前記バックホールリンクと関連付けられる１つ又は複数の送信特性を更新する
ように動作するベースバンドプロセッサと、
を含む、基地局。
【請求項３１】
前記バックホールリンクのチャネル応答の前記第１の量子化部分は、前記所定のピリオドにわたって前記リレーにおいて計算される前記バックホールリンクのチャネル応答の平均値及び分散を含み、前記ベースバンドプロセッサは、前記バックホールリンクのチャネル応答の前記第１の量子化部分から前記分散を抽出し、前記バックホールリンクのチャネル応答の再構築された前記第２部分に前記分散の平方根を乗算して前記バックホールリンクのチャネル応答の再構築された前記第２部分を正規化し、前記平均値を前記バックホールリンクのチャネル応答の正規化され再構築された前記第２部分に加算して、前記バックホールリンクについての前記合成状態情報を生成するように動作する、請求項３０の基地局。
【発明の詳細な説明】
【技術分野】
【０００１】
本発明は、一般に、チャネル状態情報の適応的フィードバックに関し、より具体的には、無線バックホールリンク上の協調送信のためのチャネル状態情報の適応的フィードバックに関する。
【背景技術】
【０００２】
中央ベースバンド処理ユニットに接続される複数の地理的に分散したアンテナが、ネットワークを構築するコスト効率のよい手法として使用されている。協調マルチポイント（coordinated  multi-point（ＣｏＭＰ））送信／受信は、単一のノード内に位置するベースバンド処理と共に配備され得る。ダウンリンクでは、複数の送信ポイントからの送信が協調させられる。複数のポイントから発せられる送信をどの程度端末が認識しているかに依存し、３つの異なる選択肢が想定され得る。第１の選択肢Ａでは、端末は、複数の地理的に分離したポイントから発せられる送信を認識していない。従って、シングルポイント送信のためのものと同じ受信側の処理及び測定報告（measurement  reporting）が使用される。よって、原理的には、マルチポイント送信の導入を下位互換性を保つ手法で行うことができ、既に存在するＬＴＥ（Long  Term  Evolution）端末に恩恵がある。ネットワークは、例えば、既存のパスロス測定に基づいて、特定の端末へどの送信ポイントから送信すべきかを決定することができる。端末はマルチポイント送信の存在を認識していないため、ＵＥ（User  Equipment）固有のリファレンス信号がチャネル推定のために使用される。このセッティングにおいて、ＣｏＭＰは、単一周波数のブロードキャストネットワークにおいて見出されるものと同様のダイバーシティゲインを提供し、ネットワーク内の改善された電力増幅器の利用が、特に、通常はいくつかの電力増幅器がアイドルになっているはずの負荷の軽いネットワークにおいてもたらされる。
【０００３】
第２の選択肢では、受信側の処理がシングルポイント送信のためのものと同じままである一方で、端末は、個々の端末にとって可視的な全てのダウンリンクチャネルについてのチャネルステータスフィードバックをネットワークに提供する。ネットワーク側では、全ての処理が単一のノード内に位置するため、異なる送信ポイントでの送信アクティビティの高速かつ動的な協調が可能である。例えば、個々の端末へ送信される信号は空間的にプレフィルタリングされ、ユーザ間の干渉が低減される。このタイプのＣｏＭＰ送信は、原理的には上述した第１の選択肢と同様の恩恵、但し、所望の信号の強度の改善に加えての恩恵を提供することができ、第２の選択肢は、ユーザ間の干渉を協調させてさらにＳＮＲ（Signal  to  Noise  Ratio）を改善することも可能とする。端末はネットワーク内での正確な処理を認識してはいないため、ＵＥ固有のリファレンス信号が必要とされる。
【０００４】
第３の選択肢では、チャネル状態報告は第２の選択肢と同じである。しかし、第２の選択肢とは異なり、端末には、例えば、どのポイントから、どんな送信重みを用いるかなど、正確な協調送信に関する知識が提供される。この情報は、端末側での受信信号処理に使用され得るが、ダウンリンクオーバーヘッドの増大という代償が生じる。
【０００５】
ＬＴＥ−Ａｄｖａｎｃｅｄシステムのためのリレーは、高データ転送速度、グループモビリティ、一時的なネットワーク配備、セルエッジスループットの適用範囲を改善し、及び／又は新しいエリアにおけるカバレージを提供する。タイプＩリレーノードは、ＬＴＥ−Ａｄｖａｎｃｅｄの一部であり、タイプＩリレーノードは、ＬＴＥスペクトルを使用してｅＮＢ（ｅｎｈａｎｃｅｄ  ＮｏｄｅＢ）に接続する帯域内リレーノードである。リレーは、バックホールリンク上でｅＮＢに接続され、リレーと端末との間のアクセスリンク上のＵＥ端末と通信するｅＮＢを支援する。タイプＩリレーでは、バックホールリンク上の送信（即ちｅＮＢ・リレー間）と、アクセスリンク上の送信（即ちリレー・ＵＥ間）とは独立している。即ち、リレーはバックホールリンク上でｅＮＢからデータを受信し、次いでそのデータを、アクセスリンク上で対応するＵＥへ転送する。よって、ＵＥはリレーをｅＮＢとみなす。
【０００６】
ＣｏＭＰは、バックホールリンク上の送信に使用することができる。というのは、ｅＮＢを支援するリレーはＬＴＥ技術及びＬＴＥスペクトルを使用するからである。ｅＮＢとＵＥとの間の通常のＣｏＭＰ送信と同様に、バックホールリンク上のＣｏＭＰ送信も、例えば、バックホールリンク送信方式を更新し及び／又はプリコード方式を変更してリレーへのバックホールリンクデータ転送速度を改善するために、バックホールリンクに関するＣＳＩがｅＮＢで利用可能であることを必要とする。
【０００７】
ある場合には、ＵＥは、いくつかの周波数サブキャリア上でのチャネル応答を推定し、チャネル応答をディジタルビット数へ量子化し、量子化されたＣＳＩをｅＮＢへフィードバックする。これに応答して、ｅＮＢは、全帯域幅についてのチャネル応答を再構築する。別の場合には、各ＵＥは、全帯域幅の一部のみについてのＣＳＩを報告してもよい。そうすることにより、総フィードバックビット数を低減することができる。さらに別の場合には、総利用可能フィードバックビットは、各リンクの長期的統計に基づいて異なるリンク上に割り振られる。この方式では、フィードバック機構をより効率よく使用することができる。長期及び短期のフィードバック機構を含むＣＳＩフィードバック方式が、ｅＮＢとＵＥとの間のアクセスリンクについて提案されている。これらの解決策では、チャネルの第二次統計（例えば電力遅延プロファイル）が、長期のゆっくり変動する部分として算入される。第二次統計だけが考慮されるのは、ｅＮＢとＵＥとの間のチャネルには、通常は、少ししか又は全く見通し内成分（line-of-sight  components）がなく、よって、第一次チャネル統計のフィードバックがネットワークリソースの効率的使用ではないからである。
【発明の概要】
【発明が解決しようとする課題】
【０００８】
これら従来のＣＳＩフィードバック方式はそれぞれ、主に、ｅＮＢとＵＥとの間のＣｏＭＰ送信のために設計されている。これらのＣＳＩフィードバック方式をｅＮＢとｅＮＢを支援するリレーとの間のバックホールリンクに直接適用することは、効率的ではない。というのは、バックホールリンクのチャネル特性は、ｅＮＢ・ＵＥ間のリンクのチャネル特性とは広範囲にわたって異なり得るからである。例えば、リレーは、典型的には、一度配備されると固定される。よって、ｅＮＢとリレーとの間のチャネル応答は、少なくとも緩変化部分（slow-changing  part）については、どちらかと言うとゆっくりと変化する。ゆっくり変動する特性からは、少なくとも緩変化部分については、低頻度でしかＣＳＩをフィードバックしない可能性が生じる。加えて、リレーは、典型的には、対応するｅＮＢまでの見通し内（ＬＯＳ）で配備される。そのようなＬＯＳチャネルは、ｅＮＢ・ＵＥ間チャネルと比べてより小さい遅延スプレッドを有し、それがさらに、ｅＮＢ・ＵＥ間チャネルと比べてより大きいコヒーレント帯域幅につながる。従って、所定の帯域幅についてより少ないＣＳＩフィードバックが必要とされる。さらに、リレーは、アップリンクバックホールサブフレーム内でＣＳＩをフィードバックすることができるにすぎない。バックホールリンク（リレー・ｅＮＢ間）とアクセスリンク（リレー・ＵＥ間）との間の時分割機構により、ｅＮＢ・ＵＥ間アップリンクサブフレームより少ないアップリンクバックホールサブフレームが生じる。よって、リレーには、ＵＥと比べてＣＳＩを報告するためのリソースが少なく、よって、リレーがより効率よくＣＳＩをフィードバックすることが望ましい。従来のＣＳＩフィードバック方式は、ｅＮＢ・ＵＥ間のリンクに基づいて設計されており、バックホールリンク（リレー・ｅＮＢ間）の特性は考慮されていない。そのような方式は、直接適用される場合には、バックホールリンクに有効ではない。
【課題を解決するための手段】
【０００９】
本明細書で開示する実施形態は、バックホールリンクの特性、例えば、どちらかと言えば静的で相対的に大きい帯域幅などを利用して、リレーから、ＵＥ端末といった移動デバイスと通信している、リレーによって支援される基地局へのバックホールリンクに関するチャネル情報の報告を向上させる。時間領域では、バックホールリンクのチャネル応答は、２つの部分、即ち、ゆっくり変化する（平均）部分と速く変化する（変動）部分との和とみなすことができる。急変化部分（fast-changing  part）はリレーから基地局へより高い頻度でフィードバックされ、緩変化部分はより低い頻度でしかフィードバックされない。周波数領域では、バックホールリンクのチャネル応答は、やはり、２つの部分、即ち、比較的平坦な（平均）部分と周波数変動部分との和とみなすことができる。バックホールチャネルの全帯域幅についての比較的平坦な部分を報告するには１つ又は少数のフィードバックが必要とされる。全帯域幅についてリレーから基地局へ周波数変動部分を報告するには、より多くのフィードバックが使用される可能性がある。どんなピリオド（時間及び／又は周波数）内の平均値が計算されるかは、バックホールチャネルのコヒーレント時間及び／又はコヒーレント帯域幅に依存する。急変化部分及び周波数変動部分についての各フィードバックのダイナミックレンジは、ｅＮＢ・ＵＥ間リンクの従来のフィードバックと比べて低減される。従って、チャネル情報フィードバックの全体量は、ｅＮＢ・ＵＥ間リンクのために設計される従来のフィードバック方式の直接の適用と比べて低減される。
【００１０】
基地局と、リレーと移動デバイスとの間で確立されるアクセスリンク上で移動デバイスと通信している基地局を支援するリレーとの間で確立されるバックホールリンクのチャネル応答推定をフィードバックする方法の一実施形態によれば、方法は、リレーにおいて、所定のピリオドにわたってバックホールリンクのチャネル応答の平均を計算することにより、バックホールリンクのチャネル応答の第１部分を推定することを含む。第１部分よりも速く変化するバックホールリンクのチャネル応答の第２部分が、リレーにおいて、所定のピリオドにわたってバックホールリンクのチャネル応答における変動を計算することにより推定される。バックホールリンクのチャネル応答の第１部分及び第２部分の量子化バージョンが、バックホールリンク上でリレーから基地局へ送信される。
【００１１】
リレーの一実施形態によれば、リレーは、第１のインターフェースと、第２のインターフェースと、チャネル応答プロセッサとを含む。第１のインターフェースは、リレーを、リレーと基地局との間のバックホールリンク上で基地局に接続するように動作する。第２のインターフェースは、基地局と通信している移動デバイスを、リレーと移動デバイスとの間のアクセスリンク上でリレーに接続するように動作する。チャネル応答プロセッサは、リレーにおいて、所定のピリオドにわたってバックホールリンクのチャネル応答の平均を計算することにより、バックホールリンクのチャネル応答の第１部分を推定するように動作する。またチャネル応答プロセッサは、リレーにおいて、所定のピリオドにわたってバックホールリンクのチャネル応答における変動を計算することにより、第１部分よりも速く変化する、バックホールリンクのチャネル応答の第２部分を推定するようにも動作する。チャネル応答プロセッサは、さらに、バックホールリンク上で基地局へ送信するためにバックホールリンクのチャネル応答の第１部分及び第２部分を量子化するようにも動作する。
【００１２】
基地局の一実施形態によれば、基地局は、リレーと基地局との間で確立されるバックホールリンク上で基地局をリレーに接続するように動作するインターフェースと、ベースバンドプロセッサとを含む。ベースバンドプロセッサは、バックホールリンクのためにリレーにおいて求められるバックホールリンクのチャネル応答の第１及び第２の量子化部分を受信するように動作する。バックホールリンクのチャネル応答の第１の量子化部分は、所定のピリオドにわたって計算されるバックホールリンクのチャネル応答の平均に対応し、第１部分よりも速く変化するバックホールリンクのチャネル応答の第２の量子化部分は、所定のピリオドにわたって計算されるバックホールリンクのチャネル応答における変動に対応する。ベースバンドプロセッサは、さらに、バックホールリンクのチャネル応答の第１及び第２の量子化部分を結合してバックホールリンクについての合成状態情報を生成し、合成バックホールリンク状態情報に基づいてバックホールリンクと関連付けられる１つ又は複数の送信特性を更新するように動作する。
【００１３】
当然ながら、本発明は上記の特徴及び利点だけに限定されるものではない。当業者は、以下の詳細な説明を読み、添付の図面を見れば、さらに別の特徴及び利点も理解するであろう。
【図面の簡単な説明】
【００１４】
【図１】ＣｏＭＰ送信／受信システム内に位置する基地局、リレー及び移動デバイスの一実施形態を示す図である。
【図２】図１のリレーに含まれるバックホールリンクのチャネル応答プロセッサの一実施形態を示す図である。
【図３】図１のリレーに含まれる時間領域ベースのバックホールリンクのチャネル応答プロセッサの別の実施形態を示す図である。
【図４】図１のリレーに含まれる周波数領域ベースのバックホールリンクのチャネル応答プロセッサのさらに別の実施形態を示す図である。
【図５】バックホールリンクのチャネル応答の状態情報のフィードバックを円滑化するための異なるブロックに分割された周波数・時間グリッドの一実施形態を示す図である。
【図６】図１の基地局に含まれるチャネル応答再構築器の一実施形態を示す図である。
【発明を実施するための形態】
【００１５】
図１は、ＣｏＭＰ送信／受信システム内に位置する、ｅＮＢといった基地局１００と、リレー１１０と、ＵＥ端末といった移動デバイス１２０とを示す。リレー１１０は、移動デバイス１２０が基地局１００と通信するのを支援し、よって、カバレージを拡大し、スループットを向上させる。リレー１１０は、リレー１１０と移動デバイス１２０との間で確立されるアクセスリンク１３０上で移動局１２０と通信する。リレー１１０は、リレー１１０と基地局１００との間で確立されるバックホールリンク１４０上で基地局１００と通信する。リレー１１０は、リンク１３０、リンク１４０上で、アップリンク方向とダウンリンク方向とにおいて通信する。このために、リレー１１０及び移動デバイス１２０は、それぞれ、アクセスリンク１３０上で通信するためのアクセスリンクインターフェース１１２、１２２を含む。基地局１００及びリレー１１０は、それぞれ、バックホールリンク１４０上で通信するためのバックホールリンクインターフェース１１４、１０２を含む。移動デバイス１２０はリレー１１０を基地局とみなし、基地局１００はリレー１１０をＵＥ端末とみなす。移動デバイス１２０、基地局１００及びリレー１１０は、それぞれ、ベースバンド動作を実施するための個々のベースバンドプロセッサ１２４、１０４、１１６を含む。
【００１６】
リレー１１０は、例えば、基地局１００までＬＯＳで、一時的又は永続的に配備されることができる。一度配備されると、リレー１１０の位置は、一般に、比較的長い期間にわたって固定されたままである。そのような配備は、典型的なｅＮＢ・ＵＥ間チャネルと全く異なるｅＮＢ・リレー間のバックホールチャネルにつながる。例えば、バックホールチャネルは、より大きいコヒーレント時間及びより大きいコヒーレント帯域幅を有する。リレー１１０は、例えば、基地局１００がバックホールリンクの送信方式を更新し、及び／又はプリコード方式を変更してリレー１１０へのバックホールリンクデータ転送速度を改善することができるように、バックホールチャネルに関する状態情報を処理のために基地局１００に直接報告する。
【００１７】
リレー１１０は、リレーのベースバンドプロセッサ１１６に含まれ又はリレーのベースバンドプロセッサ１１６と関連付けられるバックホールリンクのチャネル応答プロセッサ１１８を有し、チャネル応答プロセッサ１１８は、所定のピリオドにわたってバックホールリンク１４０のチャネル状態情報を求めるためのものである。所定のピリオドとは、ＣｏＭＰシステム内で実装される通信プロトコルのタイプに依存して、時間及び／又は周波数であってよい。バックホールリンクのチャネル応答プロセッサ１１８は、２つの部分におけるチャネル状態情報を求める。第１部分は、バックホールチャネル応答の平均（又は平坦）部分であり、第２部分は、バックホールチャネル応答における変動部分である。リレー１１０は、２つの部分を、バックホールリンク１４０上でアップリンクチャネルを介して基地局１００へ別々にフィードバックする。一実施形態において、バックホールリンクのチャネル応答プロセッサ１１８がチャネル状態情報の平均部分及び変動部分を求める対象となる時間及び／又は周波数ピリオドは、バックホールチャネルのコヒーレント時間及び／又はコヒーレント帯域幅に基づく。
【００１８】
図２は、所定の時間ピリオドにわたってバックホールリンクのチャネル応答の平均及び分散を計算するためのバックホールリンクのチャネル応答プロセッサ１１８の一実施形態を示す。バックホールリンクのチャネル応答の時間変化の特性を特徴付けるために、チャネル応答は、緩変化（平均）部分と急変化部分とに分割される。エネルギーの大部分は、典型的には、緩変化部分から、例えば、直接伝搬、大きな建物からの反射などから来るものである。エネルギーの小部分は、急変化部分、例えば、移動する自動車からの反射、樹木などから来るものである。緩変化部分は、主に、例えば雨などの環境変化に起因して変化し、従って、変化は相対的にゆっくりであるとみなすことができる。バックホールリンク１４０は、典型的には、ｅＮＢ・ＵＥ間リンクより大きいコヒーレント帯域幅を有する。バックホールリンクのチャネル応答の無相関部分は、急変化部分から到来し、急変化部分はより高い頻度でフィードバックされる。しかし、急変化部分は、典型的には、上述のように、緩変化部分よりずっと少ないエネルギーを有し、従って、急変化部分をフィードバックするには、全チャネル応答を直接フィードバックするのと比べて、より少数のビット数で済む。リレー１１０は、バックホールリンク１４０のこれらの特性を利用して、バックホールリンクのチャネルの状態情報の生成及び報告を最適化する。
【００１９】
チャネル状態情報の緩変化部分は、相対的にゆっくり、例えば数秒ごとに１度フィードバックされる。急変化部分は、より高い頻度で、例えば、従来のｅＮＢ・ＵＥ間リンクに使用されるのと同様の時間尺度を用いてフィードバックされる。しかし、急変化部分は小さいダイナミックレンジを有するため、急変化部分をフィードバックする都度必要とされるビット数は相対的に小さい。それゆえに、リレー１１０から基地局１００へ全てのバックホールチャネル状態情報をフィードバックするのに必要とされる全ビット数は、特に、バックホールチャネル応答の分散が相対的に小さいときには、大幅に低減される。
【００２０】
バックホールリンクのチャネル応答プロセッサ１１８は、チャネル分析器２００と、比較・判断フィードバックユニット２１０と、成分除去器２２０と、量子化ユニット２３０、２４０とを含む。チャネル分析器２００は、リレーのベースバンドプロセッサ１１６によって生成される瞬間的なバックホールリンクのチャネル応答推定を処理し、例えば、ＵＭＴＳ（Universal  Mobile  Telecommunications  System）についてのいくつかのＴＴＩ（Transmission  Time  Interval）など、所定の期間にわたってバックホールチャネル応答の平均値及び分散を計算する。チャネル応答の平均部分（即ち緩変化部分）は、バックホールリンクのチャネル応答における変動（即ち急変化部分）を求めるために、成分除去器２２０によって瞬間バックホールチャネル応答から除去される。
【００２１】
一実施形態では、バックホールリンクのチャネル応答の緩変化部分は、図において破線で示すように、チャネル分析器２００によって計算されるバックホールリンクのチャネル応答の平均値と分散の両方を含む。この実施形態によれば、成分除去器２２０は、バックホールリンクのチャネル応答の瞬間的な推定から平均値を減算してバックホールリンクのチャネル応答の急変化部分を推定し、量子化の前に、分散に基づいて急変化部分をスケーリングする。このようにすることで、バックホールリンクのチャネル応答の急変化部分を量子化するために固定ダイナミックレンジを有する量子化器が使用される場合に、性能を改善し得る。基地局１００は、リレー１１０から受信し次第、バックホールリンクのチャネル応答の量子化された緩変化部分から分散を抽出し、抽出された分散情報を使用して、後述するように、バックホールリンクのチャネル応答の急変化部分を正規化することができる。
【００２２】
バックホールリンクのチャネル応答プロセッサ１１８の比較・判断フィードバックユニット２１０は、所定の時間ピリオドにわたってチャネル分析器２００により計算される平均値及び分散に基づいて、バックホールリンクのチャネル応答の緩変化部分及び急変化部分を量子化するためのビットを割り振る。バックホールリンクのチャネル応答の緩変化部分を量子化するために提供されるビット数は、平均値の大きさの関数として求められる。第１の量子化ユニット２３０は、比較・判断フィードバックユニット２１０によって提供される対応するビットに基づいて、チャネル応答の第１（ゆっくり変化する）部分の量子化バージョンを生成する。また、比較・判断フィードバックユニット２１０は、変動の大きさの関数として、バックホールリンクのチャネル応答の急変化部分を量子化するためのビット数も求める。第２の量子化ユニット２４０は、比較・判断フィードバックユニット２１０によって提供される対応するビットに基づいて、バックホールリンクのチャネル応答の第２（速く変化する）部分の量子化バージョンを生成する。
【００２３】
一実施形態では、比較・判断フィードバックユニット２１０は、バックホールリンクのチャネル応答のどの部分がチャネルエネルギーのより大きい部分を表しているかに基づいて、量子化ビットを割り振る。平均の大きさが変動の大きさより小さい場合には、平均（緩変化部分）を量子化するためのビットより多くのビットがバックホールリンクのチャネル応答における変動（急変化部分）を量子化するために割り振られる。しかし、バックホールリンクのチャネル応答の平均の大きさが変動の大きさより大きい場合には、比較・判断フィードバックユニット２１０は、急変化部分を量子化するためのビットより多くのビットを緩変化部分を量子化するために割り振る。
【００２４】
図３は、所定の時間ピリオドのサブピリオドにわたってバックホールリンクのチャネル応答の平均及び分散を計算するためのバックホールリンクのチャネル応答プロセッサ１１８の別の実施形態を示す。この実施形態によれば、バックホールリンクのチャネル応答プロセッサ１１８は、バックホールチャネルのコヒーレント帯域幅を推定するための帯域幅推定器３００をさらに含む。コヒーレント帯域幅は、リレーのベースバンドプロセッサ１１６によって生成される瞬間的なバックホールリンクのチャネル応答推定に基づいて推定される。また、バックホールリンクのチャネル応答プロセッサ１１８は、所定の時間ピリオドを、コヒーレント帯域幅の関数として、いくつかのより細かいサブピリオド（Ｍ）に分割するためのフラグメント化判断ユニット３１０も含む。所定の時間ピリオドは、コヒーレント帯域幅が相対的に小さい場合にはより多くのサブピリオドに、コヒーレント帯域幅が相対的に大きい場合にはより少数のサブピリオドに分割される。
【００２５】
バックホールリンクのチャネル応答プロセッサ１１８に含まれるチャネルフラグメント化ユニット３２０は、リレーのベースバンドプロセッサ１１６によって生成される瞬間的なバックホールリンクのチャネル応答推定を、フラグメント化判断ユニット３１０によって求められるサブピリオドの数に応じてフラグメント化する。次いで、チャネル分析器２００は、複数の時間サブピリオドの各々について、バックホールリンクのチャネル応答の平均及び分散を計算する。このようにして、バックホールリンクのチャネル応答の緩変化部分を計算し、送信条件がより頻度の高いフィードバックを認可（warrant）するときに、基地局１００へより高い頻度で（例えば、サブピリオドごとに１回など）フィードバックすることができる。大部分の送信条件の下では、バックホールリンクのチャネル応答プロセッサ１１８は、所定の各時間ピリオド又は各サブピリオドの間に、バックホールリンクのチャネル応答の第２（速く変化する）部分の量子化バージョンを、バックホールリンクのチャネル応答の第１（ゆっくり変化する）部分の量子化バージョンよりも、高い頻度かつ少ない帯域幅で生成する。また、バックホールリンクのチャネル応答プロセッサ１１８は、所定の周波数帯域にわたってバックホールリンクのチャネル応答の平均及び分散を計算してもよい。
【００２６】
図４は、所定の周波数帯域にわたってバックホールリンクのチャネル応答の平均及び分散を計算するためのバックホールリンクのチャネル応答プロセッサ１１８の一実施形態を示す。バックホールリンクのチャネル応答の周波数領域特性を特徴付けるために、バックホールチャネルの二乗平均平方根（ＲＭＳ）遅延スプレッドが測定され得る。例えば、平均ＲＭＳ遅延スプレッドを約４９ナノ秒とすることができ、これは、ｅＮＢ・ＵＥ間リンクの平均ＲＭＳ遅延スプレッド（例えば、都市マイクロセル環境では３１０ナノ秒）よりもずっと小さい。チャネルのコヒーレント帯域幅はＲＭＳ遅延スプレッドに反比例するため、バックホールチャネルのコヒーレント帯域幅を、ｅＮＢ・ＵＥ間リンクのコヒーレント帯域幅の約６倍とすることができる。バックホールリンクチャネルの大きなコヒーレント帯域幅は、フィードバックをより少なくする可能性を与える。バックホールリンクのチャネル応答プロセッサ１１８は、この情報を利用して、基地局１００へのバックホールチャネル状態情報のフィードバックを最適化する。
【００２７】
より詳細には、バックホールチャネルのコヒーレント帯域幅は、上述のようにリレーのベースバンドプロセッサ１１６によって生成される瞬間的なバックホールリンクのチャネル応答推定に基づいて、帯域幅推定器４００によって推定される。フラグメント化判断ユニット４１０は、コヒーレント帯域幅に基づいて、バックホールリンクのチャネル応答を分割すべき周波数サブバンドの数（Ｎ）を求める。所定の周波数帯域は、コヒーレント帯域幅が相対的に小さい場合にはより多くのサブバンドに、コヒーレント帯域幅が相対的に大きい場合にはより少数のサブピリオドに分割される。チャネルフラグメント化ユニット４２０が、全帯域幅のチャネル応答を、Ｎ個の異なる周波数サブバンドにフラグメント化する。チャネル分析器４３０が、各周波数サブバンドについてのバックホールチャネル応答の平均値及び分散を計算する。
【００２８】
チャネル応答の平均（即ち比較的平坦な）部分は、バックホールリンクのチャネル応答の周波数変動部分を求めるために、成分除去器４４０によって瞬間的なバックホールリンクのチャネル応答推定から除去される。比較・判断フィードバックユニット４５０が、各周波数サブバンドについて計算されるバックホールリンクのチャネル応答の平均値及び分散に基づいて、バックホールリンクのチャネル応答の比較的平坦な部分及び周波数変動部分を量子化するためのビットを割り振る。バックホールリンクのチャネル応答の比較的平坦な部分を量子化するためのビット数は、サブバンドごとに計算される平均値の大きさの関数として求められる。第１の量子化ユニット４６０が、比較・判断フィードバックユニット４５０によって提供される対応するビットに基づいて、バックホールリンクのチャネル応答の比較的平坦な部分の量子化バージョンを生成する。また、比較・判断フィードバックユニット４５０は、サブバンドごとに計算される変動の大きさの関数として、バックホールリンクのチャネル応答の周波数変動部分を量子化するためのビット数も求める。第２の量子化ユニット４７０が、比較・判断フィードバックユニット４５０によって提供される対応するビットに基づいて、バックホールリンクのチャネル応答の周波数変動部分の量子化バージョンを生成する。
【００２９】
一実施形態によれば、比較・判断フィードバックユニット４５０は、バックホールリンクのチャネル応答のどの部分がチャネルエネルギーのより大きい部分を表しているかに基づいて量子化ビットを割り振る。平均値の大きさが変動の大きさより小さい場合には、比較的平坦な部分を量子化するためのビットより多くのビットが、バックホールリンクのチャネル応答の周波数変動部分を量子化するために割り振られる。しかし、平均値の大きさが変動の大きさより大きい場合には、比較・判断フィードバックユニット４５０は、バックホールリンクのチャネル応答の比較的平坦な部分を量子化するためにより多くのビットを割り振る。図４に示す実施形態は、バックホールリンクのチャネル応答プロセッサ１１８が、時間領域及び周波数領域を併せて考慮するように、図２又は図３に示す実施形態と組み合わされてもよい。
【００３０】
図５は、異なるブロックに分割された周波数・時間グリッドの一実施形態を示す。各ブロックは、特定の数の周波数サブキャリアについての特定の時間ピリオドを表す。Ｍ１〜Ｍ６とラベリングされている６つの異なるブロックは、図示及び説明を容易にするために図５に示すにすぎず、いかなる点でも限定とみなすべきではない。バックホールリンクのチャネル応答プロセッサ１１８は、バックホールリンクのコヒーレント帯域幅を推定し、上述のように、コヒーレント帯域幅の関数として、各ブロックについてのバックホールリンクのチャネル応答をフラグメント化する。例えば、バックホールリンクのチャネル応答は、図５に示すように６つの異なるブロックにフラグメント化される。バックホールリンクのチャネル応答プロセッサ１１８は、上述のように、各ブロックについてのバックホールリンクのチャネル応答における平均及び変動を計算する。バックホールリンクのチャネル応答の第１（平均）部分が量子化され、基地局に報告されるのは、第２（変動する）部分ほど頻繁ではない。例えば、図５には、バックホールリンクのチャネル応答の第１（平均）部分は（ラベルＭ１〜Ｍ６で表されている）ブロックごとに１回基地局１００に報告され、第２（変動）部分は（各ブロックにおいて網掛け領域で表されている）ブロックごとに６回の異なるときに報告されることが示されている。当然ながら、上述のように、バックホールリンクのチャネル応答の第１部分及び第２部分についての他の報告間隔を決定することもできる。本明細書で示すバックホールリンクのチャネル応答報告の実施形態は、バックホールチャネルのためのより効率のよいＣＳＩフィードバックをもたらし、従来の選択肢と比べて消費するアップリンクオーバーヘッドがより少ない。
【００３１】
いずれの場合も、リレー１１０は、バックホールチャネルに関する状態情報を処理のために基地局１００に報告する。状態情報は、上述したように、平均（ゆっくり変化する）部分及び変動（速く変化する）部分を有する。基地局１００は、リレー１１０へのバックホールリンクデータ転送速度を改善するために、リレー１１０から受信されるバックホールリンク状態情報に基づいて、バックホールリンク送信方式及び／又はプリコード方式といった、バックホールリンク１４０と関連付けられる１つ又は複数の送信特性を更新することができる。一実施形態では、基地局１００に含まれるベースバンドプロセッサ１０４は、例えば、それぞれの量子化部分を復号することによって、バックホールリンクのチャネル応答の緩変化部分及び急変化部分を再構築する。次いで、基地局ベースバンドプロセッサ１０４は、バックホールリンク状態情報の再構築された緩変化部分及び急変化部分を加算して、バックホールリンク１４０についての合成状態情報を生成する。次いで、基地局ベースバンドプロセッサ１０４は、合成バックホールリンク状態情報に基づいて、バックホールリンク１４０と関連付けられる送信特性のうちの１つ又は複数を更新する。
【００３２】
図６は、基地局ベースバンドプロセッサ１０４に含まれ、又はこれと関連付けられたバックホールリンクのチャネル応答再構築器６００の一実施形態を示す。この実施形態によれば、リレー１１０から受信されるバックホールリンクのチャネル応答の量子化された緩変化部分は、上述のようにリレー１１０において計算されるバックホールリンクのチャネル応答の平均値及び分散を含む。チャネル応答再構築器６００は、バックホールリンクのチャネル応答の量子化された緩変化部分から平均値及び分散を抽出するための第１の合成器６１０を含む。第１の合成器６１０は、バックホールリンクのチャネル応答の再構築された分散を、処理のために、チャネル応答再構築器６００の第２の合成器６２０へ出力する。また、第１の合成器６１０は、チャネル応答再構築器６００の成分結合器６３０へ、この実施形態によるバックホールリンクのチャネル応答の緩変化部分を表す再構築された平均値も出力する。
【００３３】
また、チャネル応答再構築器６００は、リレー１１０から受信されるバックホールリンクのチャネル応答の量子化された急変化部分を再構築するための第２の合成器６２０も含む。一実施形態では、第２の合成器６２０は、バックホールリンクのチャネル応答の再構築された急変化部分を正規化するために、バックホールリンクのチャネル応答の再構築された急変化部分に再構築された分散の平方根を乗算する。第２の合成器６２０は、バックホールリンクのチャネル応答の急変化部分の正規化再構築バージョンを、成分結合器６３０へ出力する。成分結合器６３０は、再構築された平均値をバックホールリンクのチャネル応答の正規化され再構築された急変化部分に加算して、上述のように、バックホールリンク１４０と関連付けられる送信特性のうちの１つ又は複数を更新するために基地局によって使用されるバックホールリンク１４０についての合成状態情報を生成する。
【００３４】
上述したバリエーション及び応用の範囲を念頭に置きつつ、本発明は以上の説明によって限定されるものではなく、添付の図面によって限定されるものでもないことを理解すべきである。本発明は、添付の特許請求の範囲、及びその法的な均等物によってのみ限定される。
【図１】
2013523044.tif 000003
【図２】
2013523044.tif 000004
【図３】
2013523044.tif 000005
【図４】
2013523044.tif 000006
【図５】
2013523044.tif 000007
【図６】
2013523044.tif 000008
【手続補正書】
【提出日】平成24年11月1日(2012.11.1)
【手続補正１】
【補正対象書類名】特許請求の範囲
【補正対象項目名】全文
【補正方法】変更
【補正の内容】
【特許請求の範囲】
【請求項１】
基地局と前記基地局を支援するリレーとの間で確立されるバックホールリンクのチャネル応答推定をフィードバックする方法であって、前記リレーは、前記リレーと移動デバイスとの間で確立されるアクセスリンク上で前記移動デバイスと通信しており、前記方法は、
前記リレーにおいて、所定のピリオドにわたって前記バックホールリンクのチャネル応答の平均を計算することにより、前記バックホールリンクのチャネル応答の第１部分を推定することと、
前記リレーにおいて、前記所定のピリオドにわたって前記バックホールリンクのチャネル応答における変動を計算することにより、前記第１部分よりも速く変化する前記バックホールリンクのチャネル応答の第２部分を推定することと、
前記バックホールリンクのチャネル応答の前記第１部分の量子化バージョン及び前記バックホールリンクのチャネル応答の前記第２部分の量子化バージョンを、前記リレーから前記基地局へ、前記バックホールリンク上で送信することと、
を含む方法。
【請求項２】
前記所定のピリオドは、所定の時間ピリオドである、請求項１の方法。
【請求項３】
前記バックホールリンクのチャネル応答のコヒーレント時間を推定することと、
前記コヒーレント時間の関数として、前記所定の時間ピリオドを複数の時間サブピリオドに分割することと、
前記複数の時間サブピリオドの各々について、前記バックホールリンクのチャネル応答における前記平均及び前記変動を計算することと、
を含む、請求項２の方法。
【請求項４】
前記所定のピリオドは、所定の周波数帯域である、請求項１の方法。
【請求項５】
前記バックホールリンクのチャネル応答のコヒーレント帯域幅を推定することと、
前記コヒーレント帯域幅の関数として、前記所定の周波数帯域を複数の周波数サブバンドに分割することと、
前記複数の周波数サブバンドの各々について、前記バックホールリンクのチャネル応答における前記平均及び前記変動を計算することと、
を含む、請求項４の方法。
【請求項６】
前記所定のピリオドは、所定の時間ピリオド及び周波数帯域である、請求項１の方法。
【請求項７】
前記バックホールリンクのチャネル応答のコヒーレント時間及び帯域幅を推定することと、
前記コヒーレント時間及び帯域幅の関数として、前記バックホールリンクのチャネル応答を複数のブロックにフラグメント化することと、
前記バックホールリンクのチャネル応答の各ブロックについて、前記バックホールリンクのチャネル応答における前記平均及び前記変動を計算することと、
を含む、請求項６の方法。
【請求項８】
前記バックホールリンクのチャネル応答の瞬間的な推定から前記バックホールリンクのチャネル応答の前記平均を除去して、前記バックホールリンクのチャネル応答における前記変動を計算すること、を含む、請求項１の方法。
【請求項９】
前記バックホールリンクのチャネル応答の前記第１部分の前記量子化バージョンを生成するために、前記平均の大きさの関数として、前記バックホールリンクのチャネル応答の前記平均を量子化することと、
前記バックホールリンクのチャネル応答の前記第２部分の前記量子化バージョンを生成するために、前記変動の大きさの関数として、前記バックホールリンクのチャネル応答における前記変動を量子化することと、
を含む、請求項１の方法。
【請求項１０】
前記平均の大きさが前記変動の大きさよりも相対的に小さい場合に、前記バックホールリンクのチャネル応答の前記平均を量子化するためのビットよりも多くのビットを、前記バックホールリンクのチャネル応答における前記変動を量子化するために割り振ることと、
前記平均の大きさが前記変動の大きさよりも相対的に大きい場合に、前記バックホールリンクのチャネル応答における前記変動を量子化するためのビットよりも多くのビットを、前記バックホールリンクのチャネル応答の前記平均を量子化するために割り振ることと、
を含む、請求項９の方法。
【請求項１１】
前記所定のピリオドにわたって計算される前記バックホールリンクのチャネル応答の平均値及び分散に基づいて、前記バックホールリンクのチャネル応答における前記平均及び前記変動を量子化するための前記ビットを割り振ること、を含む、請求項１０の方法。
【請求項１２】
前記バックホールリンクのチャネル応答の前記第１部分の前記量子化バージョンよりも、高い頻度かつ少ない帯域幅で、前記バックホールリンクのチャネル応答の前記第２部分の前記量子化バージョンを前記リレーから前記基地局へ送信すること、を含む、請求項１の方法。
【請求項１３】
前記バックホールリンクのチャネル応答の前記第１部分は、前記所定のピリオドにわたって計算される前記バックホールリンクのチャネル応答の平均値及び分散を含む、請求項１の方法。
【請求項１４】
前記バックホールリンクのチャネル応答の瞬間的な推定から前記平均値を減算して、前記バックホールリンクのチャネル応答の前記第２部分を推定することと、
量子化の前に、前記分散に基づいて、前記バックホールリンクのチャネル応答の前記第２部分をスケーリングすることと、
を含む、請求項１３の方法。
【請求項１５】
リレーと基地局との間のバックホールリンク上で、前記リレーを前記基地局に接続するように動作する第１のインターフェースと、
前記リレーと移動デバイスとの間のアクセスリンク上で、前記基地局と通信している前記移動デバイスを前記リレーに接続するように動作する第２のインターフェースと、
前記リレーにおいて、所定のピリオドにわたって前記バックホールリンクのチャネル応答の平均を計算することにより、前記バックホールリンクのチャネル応答の第１部分を推定し、
前記リレーにおいて、前記所定のピリオドにわたって前記バックホールリンクのチャネル応答における変動を計算することにより、前記第１部分よりも速く変化する前記バックホールリンクのチャネル応答の第２部分を推定し、
前記バックホールリンク上での前記基地局への送信のために、前記バックホールリンクのチャネル応答の前記第１部分及び前記第２部分を量子化する
ように動作するチャネル応答プロセッサと、
を含む、リレー。
【請求項１６】
前記所定のピリオドは、所定の時間ピリオドである、請求項１５のリレー。
【請求項１７】
前記チャネル応答プロセッサは、前記バックホールリンクのチャネル応答のコヒーレント時間を推定し、前記コヒーレント時間の関数として、前記所定の時間ピリオドを複数の時間サブピリオドに分割し、前記複数の時間サブピリオドの各々について、前記バックホールリンクのチャネル応答における前記平均及び前記変動を計算するように動作する、請求項１６のリレー。
【請求項１８】
各時間サブピリオドの長さが、適応的であり、前記コヒーレント時間に基づく、請求項１７のリレー。
【請求項１９】
前記所定のピリオドは、所定の周波数帯域である、請求項１５のリレー。
【請求項２０】
前記チャネル応答プロセッサは、前記バックホールリンクのチャネル応答のコヒーレント帯域幅を推定し、前記コヒーレント帯域幅の関数として、前記所定の周波数帯域を複数の周波数サブバンドに分割し、前記複数の周波数サブバンドの各々について、前記バックホールリンクのチャネル応答における前記平均及び前記変動を計算するように動作する、請求項１９のリレー。
【請求項２１】
周波数サブバンドの数は、適応的であり、前記コヒーレント帯域幅に基づく、請求項２０のリレー。
【請求項２２】
前記所定のピリオドは、所定の時間ピリオド及び周波数帯域である、請求項１５のリレー。
【請求項２３】
前記チャネル応答プロセッサは、前記バックホールリンクのチャネル応答のコヒーレント時間及び帯域幅を推定し、前記コヒーレント時間及び帯域幅の関数として、前記バックホールリンクのチャネル応答を複数のブロックにフラグメント化し、前記バックホールリンクのチャネル応答の各ブロックについて、前記バックホールリンクのチャネル応答における前記平均及び前記変動を計算するように動作する、請求項２２のリレー。
【請求項２４】
前記チャネル応答プロセッサは、前記バックホールリンクのチャネル応答の瞬間的な推定から前記バックホールリンクのチャネル応答の前記平均を除去して、前記バックホールリンクのチャネル応答における前記変動を計算するように動作する、請求項１５のリレー。
【請求項２５】
前記チャネル応答プロセッサは、前記バックホールリンクのチャネル応答の前記第１部分の量子化バージョンを生成するために、前記平均の大きさの関数として、前記バックホールリンクのチャネル応答の前記平均を量子化し、前記バックホールリンクのチャネル応答の前記第２部分の量子化バージョンを生成するために、前記変動の大きさの関数として、前記バックホールリンクのチャネル応答における前記変動を量子化するように動作する、請求項１５のリレー。
【請求項２６】
前記チャネル応答プロセッサは、前記平均の大きさが前記変動の大きさよりも相対的に小さい場合に、前記バックホールリンクのチャネル応答の前記平均を量子化するためのビットよりも多くのビットを、前記バックホールリンクのチャネル応答における前記変動を量子化するために割り振り、前記平均の大きさが前記変動の大きさよりも相対的に大きい場合に、前記バックホールリンクのチャネル応答における前記変動を量子化するためのビットよりも多くのビットを、前記バックホールリンクのチャネル応答の前記平均を量子化するために割り振るように動作する、請求項２５のリレー。
【請求項２７】
前記チャネル応答プロセッサは、前記所定のピリオドにわたって計算される前記バックホールリンクのチャネル応答の平均値及び分散に基づいて、前記バックホールリンクのチャネル応答における前記平均及び前記変動を量子化するための前記ビットを割り振るように動作する、請求項２６のリレー。
【請求項２８】
前記チャネル応答プロセッサは、前記バックホールリンクのチャネル応答の前記第１部分の量子化バージョンよりも、高い頻度かつ少ない帯域幅で、前記バックホールリンクのチャネル応答の前記第２部分の量子化バージョンを生成するように動作する、請求項１５のリレー。
【請求項２９】
前記バックホールリンクのチャネル応答の前記第１部分は、前記所定のピリオドにわたって計算される前記バックホールリンクのチャネル応答の平均値及び分散を含み、前記チャネル応答プロセッサは、前記バックホールリンクのチャネル応答の瞬間的な推定から前記平均値を減算して、前記バックホールリンクのチャネル応答の前記第２部分を推定し、量子化の前に、前記分散に基づいて、前記バックホールリンクのチャネル応答の前記第２部分をスケーリングするように動作する、請求項１５のリレー。
【請求項３０】
リレーと基地局との間で確立されるバックホールリンク上で前記基地局を前記リレーに接続するように動作するインターフェースと、
前記バックホールリンクのために前記リレーにおいて求められる、所定のピリオドにわたって計算されるバックホールリンクのチャネル応答の平均に対応する前記バックホールリンクのチャネル応答の第１の量子化部分、及び前記所定のピリオドにわたって計算される前記バックホールリンクのチャネル応答における変動に対応する、前記バックホールリンクのチャネル応答の第２の量子化部分、を受信し、
前記バックホールリンクのチャネル応答の前記第１の量子化部分に基づいて前記バックホールリンクのチャネル応答の第１部分を、前記バックホールリンクのチャネル応答の前記第２の量子化部分に基づいて前記バックホールリンクのチャネル応答の前記第１部分よりも速く変化する第２部分を再構築し、
前記バックホールリンクのチャネル応答の再構築された前記第１部分及び前記第２部分を結合して、前記バックホールリンクについての合成状態情報を生成し、
バックホールリンクの前記合成状態情報に基づいて、前記バックホールリンクと関連付けられる１つ又は複数の送信特性を更新する
ように動作するベースバンドプロセッサと、
を含む、基地局。
【請求項３１】
前記バックホールリンクのチャネル応答の前記第１の量子化部分は、前記所定のピリオドにわたって前記リレーにおいて計算される前記バックホールリンクのチャネル応答の平均値及び分散を含み、前記ベースバンドプロセッサは、前記バックホールリンクのチャネル応答の前記第１の量子化部分から前記分散を抽出し、前記バックホールリンクのチャネル応答の再構築された前記第２部分に前記分散の平方根を乗算して前記バックホールリンクのチャネル応答の再構築された前記第２部分を正規化し、前記平均値を前記バックホールリンクのチャネル応答の正規化され再構築された前記第２部分に加算して、前記バックホールリンクについての前記合成状態情報を生成するように動作する、請求項３０の基地局。
【国際調査報告】
2013523044.tif 000009
2013523044.tif 000010
2013523044.tif 000011
2013523044.tif 000012
2013523044.tif 000013